(57)【要約】  【課題】  映像を投射する投射装置を筐体内部に設けるとともに、投射された映像を映し出す投射スクリーンとしてガラス部材に設けることにより、装置の破損を防止した自動販売機を提供する。  【解決手段】  筐体２内部に広告等の映像を投射する投射装置８１と、投射装置８１から投射された映像を反射させる第１及び第２反射装置７５、７６をそれぞれ設け、制御基板５５は、ＲＡＭ６９に記憶された切り換えのタイミングに従って投射装置８１の投射口を正面投射口８４と上面投射口８５との間で交互に切り換えるとともに、同じくＲＡＭ６９に記憶された角度変更のタイミングに従って第１及び第２反射装置７５、７６の角度を鉛直下向きと４５度の傾斜角度の間で交互に変更するように構成する。  【選択図】  図１６
2006011783.tif 000002
【特許請求の範囲】
【請求項１】
複数個の商品を収納する筐体と、
前記筐体の壁面に設けられるとともに前記筐体内部を認視可能とする透過性部材と、を有する自動販売機において、
映像を記憶する記憶手段と、
前記筐体内部に設けられ、前記記憶手段に記憶された映像を所定方向に投射する投射装置と、を備え、
前記透過性部材の一部又は全部が前記投射装置により投射された映像を具現する投射スクリーンからなることを特徴とする自動販売機。
【請求項２】
前記投射装置により投射された映像を所定角度で反射する反射装置を有することを特徴とする請求項１に記載の遊技機。
【請求項３】
前記投射スクリーン内で前記投射装置から投射された映像を具現する範囲を選択する具現範囲選択手段を有し、
前記投射装置は、前記具現範囲選択により選択された範囲に映像を投射することを特徴とする請求項１又は請求項２に記載の自動販売機。
【請求項４】
前記反射装置の映像を反射する所定角度を変更する角度変更手段を有することを特徴とする請求項２又は請求項３に記載の自動販売機。
【請求項５】
前記投射装置の映像を投射する所定方向を変更する投射方向変更手段を有することを特徴とする請求項１乃至請求項４のいずれかに記載の自動販売機。
【発明の詳細な説明】
【技術分野】
【０００１】
本発明は、筐体内に収容された商品の販売を行う自動販売機に関し、特に、筐体の壁面に設けられた透過性部材を筐体内部に設置した投射装置より投射された映像を具現する投射スクリーンとすることによって、外部からの作用による装置の破損を防止した自動販売機に関するものである。
【背景技術】
【０００２】
従来より、商品の展示を行う展示部を設けるとともに、商品が展示された展示部において販売する商品の広告等を表示させる自動販売機が種々提案されている。それにより、新たな広告表示の為のスペースを必要とせず、商品の近傍でその商品の広告を行うことが可能となっている。例えば、特開２００３−１２２２８６号公報には、商品を陳列する商品陳列部における商品の近傍に広告表示部を設け、広告表示部を透明ディスプレイにするとともに、商品に関する広告情報を表示可能に構成することにより、商品を陳列するショーケースの前面ガラス等を利用して広告を行うことができる自動販売機が記載されている。
【特許文献１】特開２００３−１２２２８６号公報（第３頁〜第５頁、図３）
【発明の開示】
【発明が解決しようとする課題】
【０００３】
しかしながら、前記した特許文献１に記載された自動販売機においては、陳列された商品を広告表示部を介して外部から認視可能とするとともに、広告等の映像を表示させる為に広告表示部を透明ディスプレイにより形成している。ここで、透明ディスプレイは通常の液晶ディスプレイと比較して高価な装置であり、路上等に設置されることが多い自動販売機では、事件や事故等の何らかのトラブルが原因で透明ディスプレイが破損してしまう可能性も高かった。また、透明ディスプレイを設けた部分のみでしか広告の表示が行うことができないので、広告の演出が制限されることとなっていた。
【０００４】
本発明は、前記従来の問題点を解消するためになされたものであり、筐体内部に設けられた投射装置によって投射ディスプレイである透過性部材に広告等の映像を映し出すので、投射装置が外部からの衝撃等によって破損する虞がなく、また、何らかの事件や事故によって透過性部材が破損した場合であっても、その被害額を最小限に抑えることが可能となる自動販売機を提供することを目的とする。
【課題を解決するための手段】
【０００５】
前記目的を達成するため請求項１に係る自動販売機は、複数個の商品（例えば、商品ケース３）を収納する筐体（例えば、筐体２）と、前記筐体の壁面（例えば、正面パネル２Ａ）に設けられるとともに前記筐体内部を認視可能とする透過性部材（例えば、ガラス部材４）と、を有する自動販売機（例えば、ＤＶＤ自動販売機１）において、映像を記憶する記憶手段（例えば、ＲＡＭ６９）と、前記筐体内部に設けられ、前記記憶手段に記憶された映像を所定方向に投射する投射装置（例えば、投射装置８１）と、を備え、前記透過性部材が一部又は全部が前記投射装置により投射された映像を具現する投射スクリーン（例えば、ガラス部材４）からなること特徴とする。
【０００６】
また、請求項２に係る自動販売機は、請求項１に記載の自動販売機（例えば、ＤＶＤ自動販売機１）において、前記投射装置（例えば、投射装置８１）により投射された映像を所定角度で反射する反射装置（例えば、第１反射装置７５、第２反射装置７６）を有することを特徴とする。
【０００７】
また、請求項３に係る自動販売機は、請求項１又は請求項２に記載の自動販売機（例えば、ＤＶＤ自動販売機１）において、前記投射スクリーン内（例えば、ガラス部材４）で前記投射装置から投射された映像を具現する範囲（例えば、投射スクリーン７２Ａ、７２Ｂ、７２Ｃ）を選択する具現範囲選択手段（例えば、ＣＰＵ６７）を有し、前記投射装置（例えば、投射装置８１）は、前記具現範囲選択により選択された範囲に映像を投射することを特徴とする。
【０００８】
また、請求項４に係る自動販売機は、請求項２又は請求項３に記載の自動販売機（例えば、ＤＶＤ自動販売機１）において、前記反射装置（例えば、第１反射装置７５、第２反射装置７６）の映像を反射する所定角度を変更する角度変更手段（例えば、第１反射鏡角度調整モータ６４、第２反射鏡角度調整モータ６５、ＣＰＵ６７）を有することを特徴とする。
【０００９】
更に、請求項５に係る自動販売機は、請求項１乃至請求項４のいずれかに記載の自動販売機（例えば、ＤＶＤ自動販売機１）において、前記投射装置（例えば、投射装置８１）の映像を投射する所定方向を変更する投射方向変更手段（例えば、正面投射口８４、上面投射口８５、ＣＰＵ６７）を有することを特徴とする。
【発明の効果】
【００１０】
請求項１に係る自動販売機では、商品を収納する筐体の透過性部材からなる投射スクリーンに、筐体内部に設けられた投射装置から投射された映像を具現することにより商品の広告等を表示させるので、外部からの衝撃によって投射装置が破損する虞がなく、また、透過性部材が破損した場合であってもその被害額を最小限に抑えることが出来る。更に、映像を具現する範囲を自由に選択することが可能である。
【００１１】
また、請求項２に係る自動販売機では、投射装置により投射された映像を所定角度で反射する反射装置を有するので、投射装置の設置場所の自由度が増し、限られたスペースのみを有する自動販売機においても様々な広告の演出を行うことが可能となる。
【００１２】
また、請求項３に係る自動販売機では、投射スクリーンにおいて映像を具現する範囲を選択するとともに、選択した範囲に対して映像を投射するので、自動販売機において広告等の映像を映し出す場所を変更することにより多彩な広告等の演出が可能となる。
【００１３】
また、請求項４に係る自動販売機では、反射装置の映像を反射する所定角度を変更するので、一の投射装置のみを用いながらも、映像を映し出す場所を順次変更し、多彩な広告等の演出が可能となる。
【００１４】
更に、請求項５に係る自動販売機では、投射装置の映像を投射する所定方向を変更するので、一の投射装置のみを用いながらも、自動販売機において映像を映し出す場所を順次変更し、多彩な広告等の演出が可能となる。
【発明を実施するための最良の形態】
【００１５】
以下、本発明に係る自動販売機について、本発明をＤＶＤ自動販売機について具体化した実施形態に基づき図面を参照しつつ詳細に説明する。
先ず、本実施形態に係るＤＶＤ自動販売機の概略構成について図１及び図２に基づき説明する。図１は本実施形態に係るＤＶＤ自動販売機の斜視図、図２は本実施形態に係るＤＶＤ自動販売機の正面図である。
尚、本実施形態におけるＤＶＤ自動販売機１は、後述する複数の吊り下げ棒１８のそれぞれに、商品としてＤＶＤ（Ｄｉｇｉｔａｌ  Ｖｅｒｓａｔｉｌｅ  Ｄｉｓｃ）を封入した商品ケースを吊り下げ、利用者が商品ごとに予め設定された金額（例えば、１５００円）を投入した際に吊り下げ棒を所定回転方向に回転させ、吊り下げられた商品を吊り下げ棒の先端部方向に移動させる。そして、吊り下げ棒の先端より落下させた商品を利用者が筐体下部に設けられた取出口より取り出し可能とするものである。また、これらのＤＶＤ自動販売機において販売される商品はＤＶＤに限られることなく、ＣＤ（Ｃｏｍｐａｃｔ  Ｄｉｓｃ）や家庭用ゲーム機やパソコンのゲームソフト、或いは書籍や雑誌等を販売することも当然に可能である。
【００１６】
図１及び図２に示すように、ＤＶＤ自動販売機１は略直方体形状を有する筐体２にＤＶＤが封入された商品ケース３が複数個収納され、商品の展示及び販売を行っている。
筐体２は、正面を構成する正面パネル２Ａと、左右側面パネル２Ｂ、２Ｃと、背面パネル２Ｄと、天面パネル２Ｅと、底面パネル２Ｆとからなり、各パネル２Ａ、２Ｂ，２Ｃ、２Ｄ、２Ｅ、２Ｆによって形成される略直方体の空間内に後述する商品ケース３を吊り下げる吊り下げ棒１８や、駆動モータ２２、広告等の映像を投射する投射装置８１、映像を所定角度で反射させる第１及び第２反射装置７８、７９等が設置されている（図３参照）。
【００１７】
また、筐体２の正面パネル２Ａの左側約２／３はガラス部材４により覆われており、利用者は筐体内部に収納された商品ケース３をガラス部材４を介して外部より認視可能となっている。更に、ガラス部材４は、筐体２内部に設けられた後述の投射装置８１から投射された映像を具現する投射スクリーンとなっている。そして、ガラス部材４には実際に投射装置８１から投射された映像を具現する投射範囲部７２Ａ、７２Ｂ、７２Ｃが、それぞれ上中下の３箇所に設けられている。尚、投射範囲部７２Ａ、７２Ｂ、７２Ｃは、投射された映像を鮮明に映し出す為に、ガラス部材４に比較して透過性が小さくなるように構成されている。具体的には、本実施形態においては投射範囲部７２Ａ、７２Ｂ、７２Ｃに該当するガラス部材４の表面がスリガラスとなるように処理を行っている。尚、本実施形態では透過性を抑えるためにスリガラスを用いているが、それ以外にも、例えば乳白色のフィルムを貼付することにより投射範囲部７２Ａ、７２Ｂ、７２Ｃを構成しても良い。
【００１８】
また、正面パネル２Ａの右側中央部には利用者が商品購入の際に各種操作を行う操作パネル５が設けられている。更に、正面パネル２Ａの下端部には、つり銭等を返却する返却口６と、購入した商品を取り出すための商品取出口７が設けられている。
【００１９】
一方、筐体２の底面パネル２Ｆには角部にあたる計４箇所に固定足９が設けられており、固定足９の高さを調整することによりＤＶＤ自動販売機１を設置面に対して水平に安全に設置する。
【００２０】
操作パネルには、上側から順に、カード投入口１５と、金額表示部１０と、キー挿入口１１と、商品選択部１２と、紙幣投入口１３と、硬貨投入口１４とが設けられている。
カード投入口１５は、プリペイドカード等の貨幣価値を有するカードを投入する投入孔である。カード投入口１５より投入されたカードは、筐体２の内部に設けられたカード読書部（図示せず）に送られ、現在のカードの残高が記憶領域（例えば、ＩＣチップや磁気帯）より読み取られるとともに、商品を購入した際には購入した商品の価格が差し引かれた残高がカードの記憶領域に上書きされる。
金額表示部１０は７セグメントＬＥＤから成り、紙幣投入口１３及び硬貨投入口１４より投入された金銭の現在の合計金額、又はカード投入口１５より投入されたプリペイドカードの残高を算用数字により表示する。
キー挿入口１１は、筐体２の正面パネル２Ａを開閉する為の開閉キー（図示せず）を挿入する挿入口であり、販売店側がキー挿入口１１に開閉キーを挿入し、所定方向に回転させることによって正面パネル２Ａを筐体２に対して開放することができる。それにより、商品ケース３の補充や、投入された紙幣や硬貨の回収を行うことができる。
【００２１】
また、商品選択部１２は「１」〜「４」までの番号を表面に記載した押しボタンが整列して設けられている。各押しボタンは筐体２内に設けられた４本の吊り下げ棒１８（図３参照）に吊り下げられ、陳列された４種類の商品ケース３のそれぞれに対応しており、利用者は筐体２内に陳列された商品ケース３の内、購入を希望するＤＶＤが封入された商品ケース３に対応した番号のボタンを押下すると、後述するように所定の吊り下げ棒１８が回転し、利用者が希望する種類の商品ケース３を吊り下げ棒の先端から落下させ、筐体２の底部に設けられた収納部１９（図３参照）へと送る。そして、収納部１９の商品は前記商品取出口７より取り出し可能となっている。
【００２２】
紙幣投入口１３は、予め指定された紙幣（例えば、１０００円札、５０００円札、１００００円札の３種類）を投入する投入口である。紙幣投入口１３より投入された紙幣は、筐体２の内部に設けられた紙幣識別装置（図示せず）に送られて真贋を判定された後、金銭保管部であるストッカ（図示せず）の内部で保管される。
また、硬貨投入口１４は、予め指定された硬貨（例えば、１０円硬貨、５０円硬貨、１００円硬貨、５００円硬貨の４種類）を投入する投入口である。硬貨投入口１４より投入された紙幣は、筐体２の内部に設けられたコインセレクタ（図示せず）に送られて真贋を判定された後、同じくストッカの内部で保管される。
【００２３】
次に図３に基づいて本実施形態に係るＤＶＤ自動販売機の内部構造について説明する。図３は本実施形態にかかるＤＶＤ自動販売機の内部構造を示した斜視図である。尚、図３においては筐体２の正面パネル２Ａ、左右側面パネル２Ｂ、２Ｃ、背面パネル２Ｄ、天面パネル２Ｅをそれぞれ省略して図示している。
【００２４】
図３に示すように、本実施形態にかかるＤＶＤ自動販売機１の内部には、筐体２内部を約１：２の割合で分割する仕切りパネル２１が設けられている。そして、仕切りパネル２１と左側面パネル２Ｂとの間に形成された商品設置スペース２０には、吊り下げ棒１８と吊り下げ棒１８を軸心回りに回転させる駆動モータ２２とから構成された商品搬出ユニット２３Ａ〜２３Ｄが所定間隔をもって配置されている。
【００２５】
商品搬出ユニット２３Ａ〜２３Ｄは、縦方向に２列、横方向に２列の計４箇所に配置されており、各商品搬出ユニット２３Ａ〜２３Ｄは吊り下げ棒１８にそれぞれ商品ケース３を複数個吊り下げている。
ここで、一の商品搬出ユニット（２３Ａ〜２３Ｄのいずれか）には同一種類のＤＶＤが封入された商品ケース３が吊り下げられている。一方、商品搬出ユニット２３Ａ〜２３Ｄのユニットごとでは、基本的に異なる種類のＤＶＤが封入された商品ケース３がそれぞれ吊り下げられている。
従って、本実施形態にかかるＤＶＤ自動販売機１では、各商品搬出ユニット２３Ａ〜２３Ｄを４箇所に設けることによって最大４種類のＤＶＤを封入した商品ケース３を展示し、販売することが可能となっている。尚、商品搬出ユニット２３Ａ〜２３Ｄ毎に必ず異なる種類のＤＶＤを封入した商品ケース３を吊り下げる必要はなく、例えば、商品搬出ユニット２３Ａと２３Ｂ、商品搬出ユニット２３Ｃと２３Ｄにそれぞれ同じ種類のＤＶＤを封入した商品ケース３を吊り下げても良い。その際には、２種類のＤＶＤを封入した商品ケース３を展示し、販売することとなる。
【００２６】
また、吊り下げ棒１８と駆動モータ２２との間には背面壁２４が設けられている。背面壁２４は、長方形状を有する板状部材であり、駆動モータ２２の前面を被覆している。それにより、利用者がガラス部材４から筐体２内部を見た際に駆動モータ２２を認視できなくなり、見栄えが良くなる。更に、背面壁２４は、商品搬出ユニット２３Ａ、２３Ｂの上方に略長方形状の切欠部２４Ａが形成され、商品搬出ユニット２３Ａ、２３Ｂと商品搬出ユニット２３Ｃ、２３Ｄとの間には略長方形状の切欠部２４Ｂが形成され、商品搬出ユニット２３Ｃ、２３Ｄの下方には略長方形状の切欠部２４Ｃが形成されている。
【００２７】
そして、切欠部２４Ａには第１反射装置７５が設けられ、切欠部２４Ｂには第２反射装置７６がそれぞれ設けられている。一方、切欠部２４Ｃの奥には投射装置８１が設けられている。
更に、背面壁２４の裏側面には等間隔で棚部２６が２箇所に取り付けられており、棚部２６には駆動モータ２２がそれぞれ２個づつ計４個固定されている。また、第３切欠部２４Ｃの下方には棚部８３が取り付けられており、棚部８３には投射装置８１が固定されている。
【００２８】
第１反射装置７５及び第２反射装置７６は、投射装置８１より投射される広告等の映像を所定方向に反射させる装置であり、反射鏡７８、８０と、反射鏡７８、８０をそれぞれ背面壁２４に対して支持するとともに背面壁２４に対して所定角度をなすように反射鏡７８、８０の角度を変更する反射鏡角度調整部７７、７９とから構成される。
また、投射装置８１は、予め記憶された広告（例えば、ＤＶＤに記録された映画の予告）等の映像を投射範囲部７２Ａ，７２Ｂ、７２Ｃに対して投射するプロジェクタであり、本体部８２と、本体部８２に設けられた２つの投射口（正面投射口８４、上面投射口８５）とから構成されている。
尚、第１反射装置７５、第２反射装置７６及び投射装置８１についての詳細は後述する。
【００２９】
また、各商品搬出ユニット２３Ａ〜２３Ｄの吊り下げ棒１８の前方にはフラッパー２５が設けられている。フラッパー２５は所定角度で筐体２に対して傾斜して取り付けられた板状部材であり、上方に設けられた商品搬出ユニット２３Ａ〜２３Ｄより落下した商品ケース３が吊り下げ棒１８に吊り下げられた他の商品ケース３と接触しないように保護するものである。また、フラッパー２５の表側前面にはその直下に位置する吊り下げ棒１８に吊り下げられている商品ケース３に封入されたＤＶＤの種類と値段、並びに前記商品選択部１２によって選択する際の番号（「１」〜「４」）が記載されたプレート（図示せず）が取り付けられている。
【００３０】
また、フラッパー２５の裏面側には照明ライト（図示せず）が取り付けられている。照明ライトは直径約５ｍｍ、長さ約２５ｃｍの冷陰極管であり、直下に位置する商品ケース３に光を照射するとともに、プレートを裏側面より点灯させる。従って、夜間等の周囲が暗くなった場合においても商品ケース３とプレートを明るく照らし、利用者が購入する商品を間違える虞がない。また、照明ライトを用いて様々な電飾効果を発揮させ、利用者の注意を引き付けることができる。
【００３１】
次に、筐体２の底部に設けられた収納部１９について説明する。収納部１９は、商品搬出ユニット２３Ａ〜２３Ｄより落下した商品ケース３が一時的に収納される場所である。収納部１９は、仕切りパネル２１と、左側面パネル２Ｂと、板状部材が所定角度で折曲されて略「コ」の字形状に形成された壁部３０とにより形成されている。また、収納部１９の上端部には、上方より落下した商品ケース３が通過する商品通過口３８が形成されている。
【００３２】
更に、商品通過口３８の周囲にはセンサ発光部３１と、センサ受光部３２がそれぞれ等間隔で設けられている。ここで、商品通過口３８においては、センサ発光部３１から発光された光をセンサ受光部３２が常に受光しており、商品ケース３が商品通過口３８を通過すると、当該光が遮られ商品ケース３の通過を検出することができる。従って、商品ケース３を利用者に対して販売する際には、吊り下げ棒１８が所定方向に回転することにより吊り下げられた商品ケース３を移動させ、吊り下げ棒１８より商品ケース３を収納部１９に落下させることにより行うが、商品ケース３が商品通過口３８を通過したことをセンサ受光部３２が検出すると、吊り下げ棒１８の回転を停止させて、それ以上商品ケース３が落下しないように制御する。それにより、商品ケース３を１個づつ確実に落下させて販売することが可能となっている。
【００３３】
また、収納部１９の底面には緩衝材３３が設けられている。緩衝材３３はポリウレタンフォーム等により略長方形状に成形された衝撃吸収部材であり、収納部１９の底面の略全面を覆うように取り付けられている。緩衝材３３を設けることによって、収納部１９内へと落下した商品ケース３の落下の衝撃を和らげることが可能であり、商品ケース３及び商品ケース３に封入されたＤＶＤが破損することを防止する。
【００３４】
一方、収納部１９に落下した商品ケース３を筐体外部より取り出す商品取出口７は、上縁部が筐体２の正面パネル２Ａに対して回転可能に支持された取出口蓋３４により内部から被覆されている。更に、取出口蓋３４には、取出口蓋３４の回転軸を中心に取出口蓋３４に対して所定角度（本実施形態では４５度）を為して取り付けられた進入防止蓋３６が設けられている。
ここで、取出口蓋３４と進入防止蓋３６とは同一の回転軸に基づいて連動して回転する。即ち、利用者が収納部１９内の商品ケース３を取り出す際に、商品取出口７の取出口蓋３４を筐体２内部方向へ回転させると、進入防止蓋３６もそれに伴って回転し、端部が壁部３０の平板部３７に当接することによって商品通過口３８を封鎖する構造になっている。従って、商品取出口７より腕や棒等を挿入し、商品設置スペース２０の最も下段に位置する商品搬出ユニット２３Ｉ、２３Ｊの吊り下げ棒１８に吊り下げられた商品ケース３を不正に入手しようとしても、商品取出口７より取出口蓋３４を開けて腕や棒等を挿入した時点で進入防止蓋３６によって商品通過口３８が封鎖されるので、腕や棒等が収納部１９より上へ進入することが出来なくなっている。それにより、各不正行為を防止することができる。
【００３５】
また、仕切りパネル２１の商品設置スペース２０側の面には、ユニット選択ボタン２８Ａ、順回転ボタン２８Ｂ、逆回転ボタン２８Ｃ、選択ユニット表示部２９が設けられている。
【００３６】
ユニット選択ボタン２８Ａは、販売店側が後述の順回転ボタン２８Ｂ及び逆回転ボタン２８Ｃにより回転させる吊り下げ棒１８を商品搬出ユニット２３Ａ〜２３Ｄの内より指定する為のボタンであり、現在指定されている商品搬出ユニット２３Ａ〜２３Ｄに対応する番号（「１」〜「４」のいずれか）が選択ユニット表示部２９に表示される。販売店側は、ユニット選択ボタン２８Ａを押す毎に「１」→「２」→「３」→・・・の順で番号を切り換え、商品搬出ユニット２３Ａ〜２３Ｄを指定する。
【００３７】
順回転ボタン２８Ｂ及び逆回転ボタン２８Ｃは、前記ユニット選択ボタン２８Ａにより指定した番号に対応する商品搬出ユニット２３Ａ〜２３Ｄの吊り下げ棒１８を回転させるための開始ボタンである。具体的には、順回転ボタン２８Ｂを押下すると、指定した番号に対応する商品搬出ユニット２３Ａ〜２３Ｄの吊り下げ棒１８が順回転方向に回転する。ここで、順回転方向とは吊り下げた商品ケース３を収納部１９へと落下させる方向（図１１中、左方向）に移動させる回転方向である（図１０、図１１参照）。
また、逆回転ボタン２８Ｃを押下すると、指定した番号に対応する商品搬出ユニット２３Ａ〜２３Ｄの吊り下げ棒１８が逆回転方向に回転する。ここで、逆回転方向とは吊り下げた商品ケース３を駆動モータ２２が設けられた奥行き方向（図１４中、右方向）に移動させる回転方向である（図１３、図１４参照）。
【００３８】
選択ユニット表示部２９は、７セグメントＬＥＤから成り、前記したようにユニット選択ボタン２８Ａにより現在指定されている商品搬出ユニット２３Ａ〜２３Ｄに対応する番号（「１」〜「４」のいずれか）が表示される。
【００３９】
次に、投射装置８１の構成について図４を用いて説明する。図４は本実施形態にかかる投射装置を示した斜視図である。
本実施形態に係る投射装置８１は、ＤＬＰ(Ｄｅｇｉｔａｌ  Ｌｉｇｈｔ  Ｐｒｏｃｅｓｓｉｎｇ)方式を使用するプロジェクタである。ここで、ＤＬＰ方式とは、超微小な鏡（マイクロミラー）が４８万〜１３１万個敷き詰められた光半導体にランプ光をあてて鏡に反射した光をレンズを通して投映する方式をいい、小型、且つ軽量の装置で、高いコントラスト比を実現可能となっている。
【００４０】
投射装置８１は、略直方体の本体部８２と、本体部８２の正面に設けられた正面投射口８４と、上面に設けられた上面投射口８５とから構成される。本体部８２内部には、制御基板、光源ランプ、冷却用ファン等が設けられており、また、ＤＶＤ自動販売機１の制御基板５５（図９参照）と接続されている。
一方、正面投射口８４及び上面投射口８５は、投射装置８１からの映像の投射を行う２ヶ所の投射口であり、投射用の凸レンズが内蔵されている。そして、本体部８２からの映像を、凸レンズを介して所定位置で所定のサイズに映し出されるように調整しつつ投射する。また、本実施形態においては、映像を正面投射口８４及び上面投射口８５どちらか一方から選択して投射する。その選択は、ＤＶＤ自動販売機１の制御基板５５によって行われ、切り換えるタイミングはＤＶＤ自動販売機１の制御基板５５（図９参照）に設けられたＲＡＭに記憶されており、制御基板５５からの指令に基づいて所定のタイミングで切り換えを行う（図１９参照）。
そして、第１及び第２反射装置７５、７６による映像の反射と組み合わせることにより、後述のように投射した映像を映し出す投射範囲部を投射範囲部７２Ａ〜７２Ｃの内で変更することが出来る（図１６乃至図１８参照）。
【００４１】
ここで、投射装置８１により投射される映像は、ＤＶＤ自動販売機１の制御基板５５（図９参照）に設けられたＲＡＭに記憶されており、現在販売されている商品に関する広告（例えば、ＤＶＤに記録されている映画の予告編、ＣＭ等）である。
【００４２】
次に、第１反射装置７５及び第２反射装置７６の構成について図５及び図６を用いて説明する。尚、本実施形態に係る第１反射装置７５及び第２反射装置７６は基本的に同じ構成を有している。従って、以下には第１反射装置７５を例にして説明することとし、第２反射装置７６の説明は省略する。図５は本実施形態にかかる第１反射装置を示した背面図、図６は本実施形態にかかる第１反射装置を示した側面図である。
【００４３】
図５及び図６に示すように、本実施形態に係る第１反射装置７５は、前記投射装置８１より投射される広告等の映像を所定方向に反射させる装置であり、反射鏡７８と、反射鏡７８をそれぞれ背面壁２４に対して支持するとともに、背面壁２４に対して所定角度をなすように反射鏡７８の角度を変更する反射鏡角度調整部７７とから構成される。
【００４４】
反射鏡７８は、切欠部２４Ａよりやや大きいサイズを有する略長方形形状に形成され、一方の面に光等を反射させる反射面７８Ａが設けられている。また、上端縁が反射鏡角度調整部７７に取り付けられ、反射鏡角度調整部７７によって背面壁２４に対して回転可能に支持されている。具体的には、鉛直下向き方向より背面方向（図６中、時計回り方向）に４５度の角度まで回転することが可能となっている。
【００４５】
反射鏡角度調整部７７は、反射鏡７８が取り付けられる反射鏡取付部８７と、反射鏡取付部８７を回転可能に支持するとともに背面壁２４に対して固定される回転支持部８８により構成されている。また、反射鏡取付部８７の両端にはそれぞれ回転軸８９が形成されており、一方、回転支持部８８は回転軸８９が挿入される軸孔９０を有する。軸孔９０に挿入された回転軸８９は、回転支持部８８に内蔵された第１反射鏡角度調整モータ６４によってギヤを介して回転駆動され、それに伴って反射鏡７８も回転する。
また、第１反射鏡角度調整モータ６４は、ＤＶＤ自動販売機１の制御基板５５に接続されており、制御基板５５からの指令に基づいて所定のタイミングで反射鏡７８の傾斜角度を０度と４５度の間で切り換える（図１９参照）。尚、第１反射装置７５と第２反射装置７６とは、それぞれ別のタイミングで角度を切り換えることが可能であり、投射装置８１の投射口８４、８５の切り換えと組み合わせることにより、後述のように投射した映像を映し出す投射範囲部を投射範囲部７２Ａ〜７２Ｃの内で変更することが出来る（図１６乃至図１８参照）。
【００４６】
次に、商品搬出ユニット２３Ａ〜２３Ｄの構成について図７及び図８を用いて説明する。図７は本実施形態にかかる商品搬出ユニットを示した斜視図、図８は本実施形態にかかる商品搬出ユニットの特に吊り下げ棒と駆動モータとの接合部分を示した斜視図である。尚、本実施形態において商品搬出ユニット２３Ａ〜２３Ｄはすべて同様の構造を有している。従って、以下には商品搬出ユニット２３Ａを例にあげて説明することとし、商品搬出ユニット２３Ｂ〜２３Ｄの説明は省略する。
【００４７】
図７に示すように、商品搬出ユニット２３Ａは吊り下げ棒１８と駆動モータ２２とから基本的に構成されている。
吊り下げ棒１８は、棒状の基部に対して軸心５２（図１０参照）に沿って螺旋状に伸びる螺旋凸部５１を有し、螺旋凸部５１を有しない部分においては螺旋溝５０が螺旋状に形成される。そして、螺旋溝５０に商品ケース３を吊り下げ、駆動モータ２２によって吊り下げ棒１８を軸心回りに回転させることによって、商品ケース３を吊り下げ棒１８の長さ方向に沿って移動させることができる。
【００４８】
また、駆動モータ２２は、吊り下げ棒１８を軸心回りに回転させるためのモータであり、略「コ」の字形状に成形された外壁４０に固定されている。そして、外壁４０の側面には赤外線を用いた位置検出センサ４１と、位置検出センサ４１を制御するセンサ回路４２がそれぞれ設けられている。
位置検出センサ４１は、所定距離内に何らかの物が接近した際にそれを検出するセンサであり、本実施形態では商品ケース３が約３ｃｍ以内に位置した際に、それを検出する。そして、位置検出センサ４１が検出した際には後述の制御基板５５によって駆動モータ２２の駆動が停止される。従って、商品ケース３を補充する際には吊り下げ棒１８を逆回転方向に回転させ、商品ケース３を奥行き方向へと移動させるが（図１３、図１４参照）、吊り下げた商品ケース３が駆動モータ２２に接触する限界まで接近した際に、自動的に吊り下げ棒１８の回転を停止させ、商品ケース３が駆動モータ２２に接触することを防止することができる。
【００４９】
そして、前記のように構成された吊り下げ棒１８と、駆動モータ２２の回転軸とは、スプリングピン４６、シーリング４７、固定ビス４８を用いて固定されている。以下に、その具体的固定手段について説明する。
図８に示すように、吊り下げ棒１８の先端部１８Ａと反対に位置する略円筒形状を有する基部４３は、ビス孔４４が２箇所に形成されており、先端部１８Ａには吊り下げ棒１８の端部に対して開口部を有する略Ｕ字形状に形成された係合孔４５が左右対称に２箇所設けられている。また、駆動モータ２２の回転軸（図示せず）には貫通孔が形成されており、貫通孔には切欠部を有する金属製のスプリングピン４６が貫通して挿入されている。そして、挿入されたスプリングピン４６の両端部によって駆動モータ２２の回転軸に突起部を形成している。
従って、それぞれの係合孔４５にスプリングピン４６が位置するように基部４３を回転軸に挿入し、且つビス孔４４にそれぞれ固定ビス４８を挿入してビス止めすることにより、吊り下げ棒１８と駆動モータ２２の回転軸とが互いに固定される。更に、略円形状を有するシーリング４７を基部４３の端部に取り付けることによって、より確実に吊り下げ棒１８と駆動モータ２２の回転軸とを固定する。
【００５０】
次に、ＤＶＤ自動販売機１の制御系に係る構成について図９に基づき説明する。図９は本実施形態に係るＤＶＤ自動販売機の制御系を模式的に示すブロック図である。
【００５１】
制御基板５５は、本実施形態にかかるＤＶＤ自動販売機１の制御手段であって、ＣＰＵ６７と、ＲＯＭ６８と、ＲＡＭ６９を有している。そして、ＣＰＵ６７がＲＯＭ６８に記憶されているプログラムに従い作動して他の構成要素との信号の入出力を行い、ＤＶＤ自動販売機１全体の動作制御を行う。
【００５２】
ＲＯＭ６８は、例えば、半導体メモリ等により構成され、ＤＶＤ自動販売機１の基本的な機能を実現させるためのプログラムや、ＤＶＤ自動販売機１の各装置を制御するプログラム等を記憶する。
一方、ＲＡＭ６９は、ＣＰＵにより実行された処理の結果に関するデータ等を一時的に記憶するとともに、投射装置８１によって投射される広告等の映像や、投射装置８１が投射する正面投射口８４と上面投射口８５との切り換えのタイミング、第１及び第２反射装置７５、７６における傾斜角（０度又は４５度）の切り換えのタイミング（図１９参照）等が記憶されている。
【００５３】
また、制御基板５５には駆動制御回路５６を介して商品搬出ユニット２３Ａ〜２３Ｄがそれぞれ接続されている。ここで、商品搬出ユニット２３Ａ〜２３Ｄは前記したように吊り下げ棒１８と吊り下げ棒１８を軸心回りに回転させる駆動モータ２２とからなり、駆動モータ２２は駆動制御回路５６からの駆動信号を受信することによって吊り下げ棒１８を所定時間回転させる。また、駆動制御回路５６は、制御基板５５からの制御信号を入力すると、入力した制御信号に対応する駆動信号を駆動モータ２２に対して出力する。
【００５４】
また、制御基板５５には、商品通過口３８における商品ケース３の通過を検出するセンサ発光部３１及びセンサ受光部３２と、吊り下げ棒１８に吊り下げられた商品ケース３の位置を検出する位置検出センサ４１の各種センサが接続されている。センサ受光部３２は、商品通過口３８に商品ケース３が通過するとその検出結果を制御基板５５に対して送信する。そして、位置検出センサ４１は、吊り下げ棒１８に吊り下げられた商品ケース３が約３ｃｍ以内に位置した際に、それを検出する。そして、制御基板５５は、センサ受光部３２及び位置検出センサ４１からの検出信号を受信した際には、駆動制御回路５６に対して駆動モータ２２の停止信号を送信する。
【００５５】
また、制御基板５５には、商品選択部１２、ユニット選択ボタン２８Ａ、順回転ボタン２８Ｂ、逆回転ボタン２８Ｃ（図１乃至図３参照）がそれぞれ接続されている。そして、制御基板５５は各ボタンの押下等により出力される操作信号に基づき、対応する各種の動作を実行すべく制御を行う。具体的には、利用者の操作情報が入力されたことを受けて供給される入力信号、並びに、ＲＯＭ６８、ＲＡＭ６９に記憶されたデータやプログラムに基づいて、各種の処理を実行し、その結果を駆動制御回路５６に送信する。
【００５６】
また、制御基板５５には、投射装置８１と、第１反射鏡角度調整モータ６４と、第２反射鏡角度調整モータ６５接続されている。
投射装置８１は、前記したように映像を投射するプロジェクタであり、制御基板のＲＡＭ６９に記憶された広告等の映像を正面投射口８４又は上面投射口８５（図４参照）より投射する。また、ＲＡＭ６９には正面投射口８４又は上面投射口８５による投射の切り換えのタイミングが記憶されており、制御基板５５からの指令に基づいて、投射する投射口を正面投射口８４から上面投射口８５へ、又は上面投射口８５から正面投射口８４へ切り換える。
第１反射鏡角度調整モータ６４は、第１反射装置７５の反射鏡角度調整部７７に設けられるモータであり（図５参照）、第１反射装置７５に設けられた反射鏡７８の角度を調整する。具体的には、反射鏡７８が鉛直下向き（角度０度）に位置する第１状態（図６中、実線状態）と、背面壁２４に対して４５度の角度をなして位置する第２状態（図６中、破線状態）との間で反射鏡７８の角度を調整する。
第２反射鏡角度調整モータ６５は、第２反射装置７６の反射鏡角度調整部７９に設けられるモータであり、第２反射装置７６に設けられた反射鏡８０の角度を調整する。具体的には、反射鏡８０が鉛直下向き（角度０度）に位置する第１状態（図６中、実線状態）と、背面壁２４に対して４５度の角度をなして位置する第２状態（図６中、破線状態）との間で反射鏡８０の角度を調整する。
【００５７】
また、制御基板５５には、カード読書部６３と、紙幣識別装置５７と、コインセレクタ５８と、コインカウンタ５９と、ホッパー駆動回路６０及びホッパー６１が接続されている。
カード読書部６３は、カード投入口１５より投入されたプリペイドカード等の貨幣価値を有するカードの現在の残高を記憶領域（例えば、ＩＣチップや磁気帯）より読み取り、制御基板５５に出力するとともに、商品を購入した際には購入した商品の価格が差し引かれた残高をカードの記憶領域に上書きする。
紙幣識別装置５７は、紙幣投入口１３から投入された紙幣の真贋判定及び金種判定を行い、その結果を示す信号を制御基板５５に出力するとともに、投入された紙幣を保管するストッカ（図示せず）を有している。また、コインセレクタ５８は硬貨投入口１４より投入された硬貨の真贋判定及び選別を行い、選別された硬貨をストッカに保管する。また、コインカウンタ５９は、コインセレクタ５８によって選別された硬貨ごとに枚数を計測し、計測結果を制御基板５５に出力する。
ホッパー駆動回路６０は制御基板５５の制御に従ってホッパー６１を駆動させる。そして、ホッパー６１はホッパー駆動回路６０から入力されたつり銭情報に対応した金額の金銭を返却口６に排出する。
【００５８】
更に、制御基板５５には、紙幣投入口１３及び硬貨投入口１４から投入された投入金額を表示する金額表示部１０と、ユニット選択ボタン２８Ａにより選択された商品搬出ユニット２３Ａ〜２３Ｄに対応する番号「１」〜「４」を表示する選択ユニット表示部２９と、フラッパー２５の裏面に取り付けられ、商品ケース３及び商品名等が記載されたプレートに光を照射して明るく照らす照明ライト７７と、図示しない外部機器と通信を行うための外部Ｉ／Ｆユニット６２が接続されている。
【００５９】
次に、上記のように構成されたＤＶＤ自動販売機１の商品搬出機構について図１０乃至図１２に基づいて説明する。図１０乃至図１２は本実施形態にかかるＤＶＤ自動販売機の商品搬出機構を示した模式図である。
【００６０】
先ず、ＤＶＤ自動販売機１は、利用者によって金銭が投入されると、紙幣識別装置５７により紙幣投入口１３より投入された紙幣の真贋判定及び金種判定を行うとともに、その結果を示す信号を制御基板５５に出力する。また、コインセレクタ５８は硬貨投入口１４より投入された硬貨の真贋判定及び選別を行い、コインカウンタ５９がコインセレクタ５８によって選別された硬貨ごとに枚数を計測し、計測結果を制御基板５５に出力する。制御基板５５は、送信された金銭情報より利用者が投入した金銭の額を算出し、その額を金額表示部１０に表示する（例えば、「￥２０００」）。
【００６１】
次に、利用者は、筐体２の正面パネル２Ａに設けられたガラス部材４を通して商品設置スペース２０に設けられた商品搬出ユニット２３Ａ〜２３Ｄの吊り下げ棒１８に吊り下げられた商品ケース３より、購入を希望するＤＶＤが封入された商品ケース３を選択する。そして、希望する商品ケース３の直上に設けられたフラッパー２５に設けられたプレートを参照して、希望する商品ケース３が吊り下げられた商品搬出ユニット２３Ａ〜２３Ｄに対応する番号（「１」〜「４」のいずれか）を商品選択部１２を操作して選択する。すると、商品選択部１２より選択された商品搬出ユニット２３Ａ〜２３Ｄのいずれかを示す選択情報が制御基板５５に送信される。制御基板５５は、送信された選択情報より、利用者が購入希望する商品ケース３が吊り下げられた商品搬出ユニット２３Ａ〜２３Ｄを特定し、駆動制御回路５６に指示信号を送信する。
【００６２】
そして、指示信号を受信した駆動制御回路５６は、対応する商品搬出ユニット２３Ａ〜２３Ｄの駆動モータ２２を駆動させ、駆動モータ２２に接続された吊り下げ棒１８を軸心回りに回転させる。ここで、図１０に示すように吊り下げ棒１８はα方向（順回転方向）に回転される。それにより、商品ケース３は螺旋凸部５１により繰り出され、徐々に吊り下げ棒１８の先端部１８Ａ方向へと移動する（図１１参照）。
その結果、吊り下げ棒１８の最も先端部１８Ａ寄りに吊り下げられていた商品ケース３が吊り下げ棒１８から外れ、先端部１８Ａより落下する。
【００６３】
また、吊り下げ棒１８より落下した商品ケース３は図１２に示すように、フラッパー２５によって下方に吊り下げられた商品ケース３と接触することもなく商品通過口３８を通って収納部１９内に収納される。その後、利用者は収納部１９内に収納された商品ケース３を商品取出口７より取り出すことができる。
尚、商品ケース３が商品通過口３８を通過する際に、商品通過口３８に設けられたセンサ発光部３１からの光が遮られ、センサ受光部３２は商品ケース３が落下したことを検出する。そして、センサ受光部３２は検出結果を制御基板５５に送信し、制御基板５５は送信された検出結果に基づいて駆動制御回路５６に駆動モータ２２の駆動を停止する停止信号を送る。その結果、吊り下げ棒１８の回転は停止し、商品ケース３を２個以上落下させることがない。
【００６４】
また、利用者が収納部１９内の商品ケース３を取り出す際に、商品取出口７の取出口蓋３４を筐体２内部方向へ回転させると、進入防止蓋３６もそれに伴って回転し、端部が壁部３０の平板部３７に当接することによって商品通過口３８を封鎖する構造になっている。それにより、商品取出口７より腕や棒等を挿入し商品搬出ユニット２３Ａ〜２３Ｄの吊り下げ棒１８に吊り下げられた商品ケース３を不正に入手することを防止することができる。
【００６５】
一方、ＤＶＤ自動販売機１は、吊り下げ棒１８の回転により商品ケース３を落下させたことに基づいて、つり銭を制御基板５５が算出し、その金額に対応する金銭を払い出すようにホッパー駆動回路６０に指示し、ホッパー６１からつり銭が返却口６に払い出される。
【００６６】
次に、上記のように構成されたＤＶＤ自動販売機１の商品補充機構について図１３乃至図１５に基づいて説明する。図１３乃至図１５は本実施形態にかかるＤＶＤ自動販売機の商品補充機構を示した模式図である。
【００６７】
先ず、ＤＶＤ自動販売機１は、販売店側によってキー挿入口１１に開閉キーが挿入され、所定方向に回転されると、正面パネル２Ａが筐体２に対して開放される。
次に、販売店側は、仕切りパネル２１に設けられたユニット選択ボタン２８Ａ（図３参照）によって、商品設置スペース２０に設けられた商品搬出ユニット２３Ａ〜２３Ｊより商品ケース３を補充する商品搬出ユニット２３Ａ〜２３Ｄを指定する。尚、現在指定されている商品搬出ユニット２３Ａ〜２３Ｄに対応する番号（「１」〜「４」のいずれか）が選択ユニット表示部２９に表示され、販売店側は、ユニット選択ボタン２８Ａを押す毎に「１」→「２」→「３」→・・・の順で番号を切り換えて、商品搬出ユニット２３Ａ〜２３Ｄを指定する。その後、逆回転ボタン２８Cを押下する。
すると、ユニット選択ボタン２８Ａより選択された商品搬出ユニット２３Ａ〜２３Ｄのいずれかを示す選択情報と逆回転を行う回転情報が制御基板５５に送信される。制御基板５５は、送信された選択情報と回転情報より、補充を行う商品ケース３が吊り下げられた商品搬出ユニット２３Ａ〜２３Ｄを特定し、駆動制御回路５６に逆回転を行う旨の指示信号を送信する。
【００６８】
そして、指示信号を受信した駆動制御回路５６は、対応する商品搬出ユニット２３Ａ〜２３Ｊの駆動モータ２２を駆動させ、駆動モータ２２に接続された吊り下げ棒１８を軸心回りに回転させる。ここで、図１３に示すように吊り下げ棒１８はα方向（図１０）と逆方向であるβ方向（逆回転方向）に回転される。それにより、商品ケース３は螺旋凸部５１により繰り出され、徐々に駆動モータ２２方向へと移動する（図１４参照）。
その際、吊り下げ棒が回転する速度は本実施形態においては１回転／秒であり、逆回転ボタン２８Cが押下されるたびに２秒間回転する。
【００６９】
その結果、逆回転ボタン２８Cが押下されると、吊り下げ棒１８の最も先端部１８Ａ寄りに吊り下げられていた商品ケース３が２回転分（螺旋溝５０の２ピッチ分）だけ駆動モータ２２側に移動し、商品ケース３を吊り下げる為のスペースが吊り下げ棒１８に形成される。
従って、販売店側は形成されたスペースに新たな商品ケース３を吊り下げることによって商品ケースの補充が可能となる。更に、続けて逆回転ボタン２８Cを押下すると、吊り下げられていた商品ケース３が２回転分（螺旋溝５０の２ピッチ分）だけ駆動モータ２２側に移動し、次の商品ケース３を補充することが可能となる。以上の操作を繰り返すことによってＤＶＤ自動販売機１の商品ケース３の補充が可能となる。
【００７０】
また、最も駆動モータ２２に近接した位置に吊り下げられた商品ケース３が、駆動モータ２２に設けられた位置検出センサ４１の３ｃｍ以内まで到達すると、位置検出センサ４１により検出される。そして、位置検出センサ４１は検出結果を制御基板５５に送信し、制御基板５５は送信された検出結果に基づいて駆動制御回路５６に駆動モータ２２の駆動を停止する停止信号を送る。その結果、吊り下げ棒１８の回転は停止し、それ以上逆回転ボタン２８Ｃを押下しても吊り下げ棒１８が回転されることがない。従って、商品ケース３が最大まで補充された場合（図１５参照）に、それ以上吊り下げ棒１８を回転させることがないので、商品ケース３を一の吊り下げ棒１８の吊り下げ許容量（本実施形態では１０個）を越えて吊り下げることがなく、駆動モータ２２に商品ケースが接触する虞もない。
【００７１】
尚、必要があるときは、販売店側は順回転ボタン２８Ｂを押下することによって吊り下げ棒１８をα方向（順回転方向）に回転させ、吊り下げた商品ケース３を吊り下げ棒１８の先端部１８Ａ方向へと移動させることも可能である。
【００７２】
次に、本実施形態に係るＤＶＤ自動販売機１の映像投射機構について図１６乃至図１９に基づいて説明する。本実施形態に係るＤＶＤ自動販売機１では、投射装置８１より投射する投射口（正面投射口８４及び上面投射口８５）を切り換え、また、第１反射装置７５及び第２反射装置７６の反射鏡７８、８０の傾斜角度をそれぞれ変更することによって、ガラス部材４に設けられた投射範囲部７２Ａに映像を映し出す第１投射状態と、投射範囲部７２Ｂに映像を映し出す第２投射状態と、投射範囲部７２Ｃに映像を映し出す第３投射状態との３種類の映像の投射状態が存在する。図１６は本実施形態に係るＤＶＤ自動販売機の第１投射状態を示した模式図、図１７は本実施形態に係るＤＶＤ自動販売機の第２投射状態を示した模式図、図１８は本実施形態に係るＤＶＤ自動販売機の第３投射状態を示した模式図である。
【００７３】
先ず、図１６に基づいて第１投射状態について説明する。
第１投射状態では、図１６に示すように、投射装置８１は、上面投射口８５より投射装置８１の上方に向けて映像の投射を行っている。また、第１反射装置７５は、反射鏡７８の傾斜角度が４５度をなすように支持されている。また、第２反射装置７６は、反射鏡８０が鉛直下向きをなすように支持されている。
従って、投射装置８１の上面投射口８５より投射された映像は、背面壁に対して当接された状態の第２反射装置７６の側方を通過し、第１反射装置７５によって９０度の角度で反射され、水平方向に投射される。そして、背面壁２４の切欠部２４Ａを通過して、投射範囲部７２Ａに投射された映像が映し出される。
【００７４】
続いて、図１７に基づいて第２投射状態について説明する。
第２投射状態では、図１７に示すように、投射装置８１は、上面投射口８５より投射装置８１の上方に向けて映像の投射を行っている。また、第１反射装置７５は、反射鏡７８が鉛直下向きをなすように支持されている。また、第２反射装置７６は、反射鏡８０の傾斜角度が４５度をなすように支持されている。
従って、投射装置８１の上面投射口８５より投射された映像は、第１反射装置７５によって９０度の角度で反射され、水平方向に投射される。そして、背面壁２４の切欠部２４Ｂを通過して、投射範囲部７２Ｂに投射された映像が映し出される。
【００７５】
最後に、図１８に基づいて第３投射状態について説明する。
第２投射状態では、図１８に示すように、投射装置８１は、正面投射口８４より投射装置８１の側方に向けて映像の投射を行っている。また、第１反射装置７５は、反射鏡７８が鉛直下向きをなすように支持されている。また、第２反射装置７６は、反射鏡８０が鉛直下向きをなすように支持されている。
従って、投射装置８１の正面投射口８４より投射された映像は、背面壁２４の切欠部２４Ｃを通過して、投射範囲部７２Ｃに投射された映像が映し出される。
【００７６】
そして、本実施形態に係るＤＶＤ自動販売機では、上記第１乃至第３投射状態が、所定時間ごとに制御基板５５によって切り換えられる。図１９は制御基板が実行する第１反射装置、第２反射装置の反射鏡の傾斜角度変更、及び投射装置の投射口切り換えのタイミングを示した図である。
【００７７】
図１９に示すように、第１反射装置７５及び第２反射装置７６は、鉛直下向きに位置する第１状態と、背面壁２４に対して４５度の傾斜角度で支持される第２状態とを所定のタイミングで変更する。一方、投射装置８１は、所定のタイミングで正面投射口８４と上面投射口８５との間で投射する投射口を切り換える。
【００７８】
具体的には図１９の（１）のタイミングにおいて、制御基板５５は、第１反射鏡角度調整モータ６４を駆動させ第１反射装置７５の反射鏡７８を、鉛直下向き方向から４５度の傾斜方向へと回転させる。また、第２反射装置７６の反射鏡８０は、鉛直下向き方向の状態で維持する。更に、投射装置８１の投射する投射口を正面投射口８４より上面投射口８５に切り換える。以上により、投射範囲部７２Ａに映像が映し出される前記第１投射状態（図１６参照）となる。
【００７９】
そして、１５秒経過した後の図１９の（２）のタイミングにおいて、制御基板５５は、第１反射鏡角度調整モータ６４を駆動させ第１反射装置７５の反射鏡７８を、４５度の傾斜方向より鉛直下向き方向へと回転させる。また、第２反射鏡角度調整モータ６５を駆動させ第２反射装置７６の反射鏡８０を、鉛直下向き方向から４５度の傾斜方向へと回転させる。一方、投射装置８１の投射する投射口は、正面投射口８４のままで切り換えない。以上により、投射範囲部７２Ｂに映像が映し出される前記第２投射状態（図１７参照）となる。
【００８０】
そして、更に１５秒経過した後の図１９の（３）のタイミングにおいて、制御基板５５は、第１反射装置７５の反射鏡７８は、鉛直下向き方向の状態で維持する。また、第２反射鏡角度調整モータ６５を駆動させ第２反射装置７６の反射鏡８０を、４５度の傾斜方向から鉛直下向き方向へと回転させる。更に、投射装置８１の投射する投射口を上面投射口８５より正面投射口８４に切り換える。以上により、投射範囲部７２Ｃに映像が映し出される前記第３投射状態（図１８参照）となる。
【００８１】
そして、更に１５秒経過した後の図１９の（４）のタイミングにおいて、制御基板５５は、第１反射鏡角度調整モータ６４を駆動させ第１反射装置７５の反射鏡７８を、鉛直下向き方向から４５度の傾斜方向へと回転させる。また、第２反射装置７６の反射鏡８０は、鉛直下向き方向の状態で維持する。更に、投射装置８１の投射する投射口を正面投射口８４より上面投射口８５に切り換える。以上により、投射範囲部７２Ａに映像が映し出される前記第１投射状態（図１６参照）へと再度移行する。
【００８２】
以上より、１５秒間隔で第１投射状態乃至第３投射状態が切り換えられ、広告等の映像が映し出される投射スクリーンの範囲が、投射範囲部７２Ａ乃至７２Ｃの間で順に変更される。従って、一の投射装置８１のみを用いながらも、投射スクリーンにおいて映像を映し出す範囲を順次変更し、多彩な広告等の演出が可能となる。
【００８３】
以上説明した通り本実施形態に係るＤＶＤ自動販売機１では、筐体２内部に広告等の映像を投射する投射装置８１と、投射装置８１から投射された映像を反射させる第１及び第２反射装置７５、７６をそれぞれ設け、制御基板５５は、ＲＡＭ６９に記憶された切り換えのタイミングに従って投射装置８１の投射口を正面投射口８４と上面投射口８５との間で交互に切り換える。更に、ＲＡＭ６９に記憶された角度変更のタイミングに従って第１及び第２反射装置７５、７６の角度を鉛直下向きと４５度の傾斜角度の間で交互に変更するので、広告等の映像が映し出される範囲が、投射範囲部７２Ａ乃至７２Ｃの間で順に変更される。従って、一の投射装置８１のみを用いながらも、投射スクリーンにおいて映像を映し出す範囲を順次変更し、多彩な広告等の演出が可能となる。
また、第１及び第２反射装置７５、７６を用いることによって映像を所定の方向に反射させることが出来るので、投射装置８１の設置場所の自由度が増し、限られたスペースのみを有する自動販売機においても様々な広告の演出を行うことが可能となる。
更に、投射装置８１は筐体内部に設置されるので外部からの衝撃によって破損する虞がなく、投射スクリーンであるガラス部材４が破損した場合であっても透明ディスプレイを筐体面に設ける場合と比較して被害を最小限に抑えることが出来る。
【００８４】
尚、本発明は前記実施例に限定されるものではなく、本発明の要旨を逸脱しない範囲内で種々の改良、変形が可能であることは勿論である。
例えば、本実施形態においては、投射装置８１は正面投射口８４と上面投射口８５のどちらか一方のみから投射を行うこととしているが、両方の投射口より同時に映像の投射を行っても良い。それにより、同時に二箇所の投射範囲部７２Ａ〜７２Ｃに投射することが可能である。
【００８５】
また、本実施形態は投射装置８１に２つの投射口（正面投射口８４と上面投射口８５）を設けることにより、映像を投射する方向を正面方向と上面方向との間で切り換えを行っているが、投射口を一つのみ設け、設けた投射口の角度を正面方向と上面方向との間で変更可能にすることにより映像方向の切り換えを行っても良い。
更に、投射口は無可動のままで、投射装置８１が設置された棚部８３（図３参照）の角度を変更することによって映像方向の切り換えを行っても良い。
【００８６】
また、投射範囲部７２Ａ〜７２Ｃに映し出されている映像を、利用者が商品選択部１２を押下した際に、選択された商品に関するものに切り換えるように制御しても良い。
【図面の簡単な説明】
【００８７】
【図１】本実施形態に係るＤＶＤ自動販売機の斜視図である。
【図２】本実施形態に係るＤＶＤ自動販売機の正面図である。
【図３】本実施形態にかかるＤＶＤ自動販売機の内部構造を示した斜視図である。
【図４】本実施形態にかかる投射装置を示した斜視図である。
【図５】本実施形態にかかる第１反射装置を示した背面図である。
【図６】本実施形態にかかる第１反射装置を示した側面図である。
【図７】本実施形態にかかる商品搬出ユニットを示した斜視図である。
【図８】本実施形態にかかる商品搬出ユニットの特に吊り下げ棒と駆動モータとの接合部分を示した斜視図である。
【図９】本実施形態に係るＤＶＤ自動販売機の制御系を模式的に示すブロック図である。
【図１０】本実施形態にかかるＤＶＤ自動販売機の商品搬出機構を示した模式図である。
【図１１】本実施形態にかかるＤＶＤ自動販売機の商品搬出機構を示した模式図である。
【図１２】本実施形態にかかるＤＶＤ自動販売機の商品搬出機構を示した模式図である。
【図１３】本実施形態にかかるＤＶＤ自動販売機の商品補充機構を示した模式図である。
【図１４】本実施形態にかかるＤＶＤ自動販売機の商品補充機構を示した模式図である。
【図１５】本実施形態にかかるＤＶＤ自動販売機の商品補充機構を示した模式図である。
【図１６】本実施形態に係るＤＶＤ自動販売機の第１投射状態を示した模式図である。
【図１７】本実施形態に係るＤＶＤ自動販売機の第２投射状態を示した模式図である。
【図１８】本実施形態に係るＤＶＤ自動販売機の第３投射状態を示した模式図である。
【図１９】制御基板が実行する第１反射装置、第２反射装置の反射鏡の傾斜角度変更、及び投射装置の投射口切り換えのタイミングを示した図である。
【符号の説明】
【００８８】
１                            ＤＶＤ自動販売機
２                            筐体
３                            商品ケース
４                            ガラス部材
５５                          制御基板
６４                          第１反射鏡角度調整モータ
６５                          第２反射鏡角度調整モータ
６７                          ＣＰＵ
６９                          ＲＡＭ
７２Ａ、７２Ｂ、７２Ｃ        投射範囲部
７５                          第１反射装置
７６                          第２反射装置
８１                          投射装置
８４                          正面投射口
８５                          上面投射口
【図１】
2006011783.tif 000003
【図２】
2006011783.tif 000004
【図３】
2006011783.tif 000005
【図４】
2006011783.tif 000006
【図５】
2006011783.tif 000007
【図６】
2006011783.tif 000008
【図７】
2006011783.tif 000009
【図８】
2006011783.tif 000010
【図９】
2006011783.tif 000011
【図１０】
2006011783.tif 000012
【図１１】
2006011783.tif 000013
【図１２】
2006011783.tif 000014
【図１３】
2006011783.tif 000015
【図１４】
2006011783.tif 000016
【図１５】
2006011783.tif 000017
【図１６】
2006011783.tif 000018
【図１７】
2006011783.tif 000019
【図１８】
2006011783.tif 000020
【図１９】
2006011783.tif 000021